(57)【要約】      （修正有）【課題】装着快適性を向上でき、簡素な外形及び優れた外観を有するウェアラブルディスプレイ装置を提供する。【解決手段】ウェアラブルディスプレイ装置は、画像を表示するための表示コンポーネント１と、２つのイヤピースコンポーネント２と、ユーザの頭上に装着するための頭部装着コンポーネント３とを含み、頭部装着コンポーネント３は全体として弧状に湾曲しており、表示コンポーネント１は、ユーザから離れた前側表面が円弧状に形成され、ユーザに向かう表面に２つの表示窓が設けられており、イヤピースコンポーネント２は円柱状に形成され、２つのイヤピースコンポーネント２がそれぞれ表示コンポーネント１の左右両端に接続されており、頭部装着コンポーネント３の両端は、それぞれ２つのイヤピースコンポーネント２に接続されている。【選択図】図８
0003211446.tif 000002
【実用新案登録請求の範囲】
【請求項１】
ウェアラブルディスプレイ装置であって、
画像を表示するための表示コンポーネントと、２つのイヤピースコンポーネントと、ユーザの頭上に装着するための頭部装着コンポーネントとを含み、
前記頭部装着コンポーネントは、全体として弧状に湾曲しており、
前記表示コンポーネントは、ユーザから離れた前側表面が円弧状に形成され、ユーザに向かう表面に２つの表示窓が設けられており、
前記イヤピースコンポーネントは円柱状に形成され、２つの前記イヤピースコンポーネントがそれぞれ前記表示コンポーネントの左右両端に接続されており、
前記頭部装着コンポーネントの両端は、それぞれ２つの前記イヤピースコンポーネントに接続されている、
ことを特徴とするウェアラブルディスプレイ装置。
【請求項２】
前記表示コンポーネントの底面には、左右方向に沿って配列した２つの調節ツマミが設けられている、
ことを特徴とする請求項１に記載のウェアラブルディスプレイ装置。
【請求項３】
各前記イヤピースコンポーネントに支持アームが設けられ、前記表示コンポーネントの両端にそれぞれ第１の伸縮アームが設けられており、
前記表示コンポーネントは、前記支持アームに対して接近又は離間する方向に移動可能なように、両端がそれぞれ前記第１の伸縮アームによって２つの前記支持アームに伸縮可能に接続されており、
前記支持アーム及び前記表示コンポーネントが互いに接近する位置にあるときに、前記支持アームと前記表示コンポーネントとは互いに当接して、前記支持アームの表面と前記表示コンポーネントの表面との間が平滑面になる、
ことを特徴とする請求項１に記載のウェアラブルディスプレイ装置。
【請求項４】
前記支持アームの表面と前記イヤピースコンポーネントの表面との間は平滑な弧面になる、
ことを特徴とする請求項３に記載のウェアラブルディスプレイ装置。
【請求項５】
前記イヤピースコンポーネントにおけるユーザに向かう側には、円環状のクラッシュパッドが設けられている、
ことを特徴とする請求項１に記載のウェアラブルディスプレイ装置。
【請求項６】
前記イヤピースコンポーネントにおけるユーザから離れた側には、円形の凹溝が設けられている、
ことを特徴とする請求項１に記載のウェアラブルディスプレイ装置。
【請求項７】
前記頭部装着コンポーネントは、前記表示コンポーネントと互いに接近又は離間する方向に回転可能なように、前記イヤピースコンポーネントに回転可能に接続されている、
ことを特徴とする請求項１項に記載のウェアラブルディスプレイ装置。
【請求項８】
前記頭部装着コンポーネントは、頭上支持部と、２つの第２の伸縮アームと、２つの頭部装着接続アームとを含み、
前記頭上支持部は、前記頭部装着接続アームに対して接近又は離間する方向に移動可能なのように、両端がそれぞれ前記第２の伸縮アームによって２つの前記頭部装着接続アームに伸縮可能に接続されており、
２つの前記頭部装着接続アームは、それぞれ２つの前記イヤピースコンポーネントに回転可能に接続されており、
前記頭上支持部及び前記頭部装着接続アームが互いに接近する位置にあるときに、前記頭上支持部と前記頭部装着接続アームとは互いに当接して、前記頭上支持部の表面と前記頭部装着接続アームの表面との間が平滑面になる、
ことを特徴とする請求項７に記載のウェアラブルディスプレイ装置。
【請求項９】
前記頭上支持部及び前記頭部装着接続アームが互いに接近する位置にあり、かつ前記頭部装着コンポーネントが前記表示コンポーネントと互に接近する位置まで回転したときに、前記頭上支持部は、前記表示コンポーネントの前側表面に位置する、
ことを特徴とする請求項８に記載のウェアラブルディスプレイ装置。
【請求項１０】
前記頭部装着接続アームは、前記頭上支持部から離れた端部が湾曲して前記イヤピースコンポーネントの周面に沿って延びる弧状部を形成している、
ことを特徴とする請求項８に記載のウェアラブルディスプレイ装置。
【考案の詳細な説明】
【技術分野】
【０００１】
本考案は、ウェアラブル電子デバイスに関し、特にウェアラブルディスプレイ装置に関する。
【背景技術】
【０００２】
ウェアラブルディスプレイ装置は、ユーザの頭部に装着可能なウェアラブル電子デバイスであり、そのビジュアルウィンドウを通して画像を観察できる。従来技術では、ウェアラブルディスプレイ装置は、装着が快適ではなく長時間の装着に適用できないとともに、外形が複雑で美観性が不十分であるという問題が存在する。
【考案の概要】
【考案が解決しようとする課題】
【０００３】
本考案が解決しようとする課題は、装着快適性を向上できるとともに、外形が簡素でかつ外観が優れたウェアラブルディスプレイ装置を提供することにある。
【課題を解決するための手段】
【０００４】
上述した課題を解決するために、本考案は、ウェアラブルディスプレイ装置であって、
画像を表示するための表示コンポーネントと、２つのイヤピースコンポーネントと、ユーザの頭上に装着するための頭部装着コンポーネントとを含み、
上記頭部装着コンポーネントは、全体として弧状に湾曲しており、
上記表示コンポーネントは、ユーザから離れた前側表面が円弧状に形成され、ユーザに向かう表面に２つの表示窓が設けられており、
上記イヤピースコンポーネントは円柱状に形成され、２つの上記イヤピースコンポーネントがそれぞれ上記表示コンポーネントの左右両端に接続されており、
上記頭部装着コンポーネントの両端は、それぞれ２つの上記イヤピースコンポーネントに接続されているウェアラブルディスプレイ装置を提供する。
【０００５】
ここで、上記表示コンポーネントの底面には、左右方向に沿って配列した２つの調節ツマミが設けられている。
【０００６】
ここで、各上記イヤピースコンポーネントに支持アームが設けられ、上記表示コンポーネントの両端にそれぞれ第１の伸縮アームが設けられている。上記表示コンポーネントは、上記支持アームに対して接近又は離間する方向に移動可能なように、両端がそれぞれ上記第１の伸縮アームによって２つの上記支持アームに伸縮可能に接続されている。上記支持アーム及び上記表示コンポーネントが互いに接近する位置にあるときに、上記支持アームと上記表示コンポーネントとは互いに当接して、上記支持アームの表面と上記表示コンポーネントの表面との間が平滑面になる。
【０００７】
ここで、上記支持アームの表面と上記イヤピースコンポーネントの表面との間は平滑な弧面になる。
【０００８】
ここで、上記イヤピースコンポーネントにおけるユーザに向かう側には、円環状のクラッシュパッドが設けられている。
【０００９】
ここで、上記イヤピースコンポーネントにおけるユーザから離れた側には、円形の凹溝が設けられている。
【００１０】
ここで、上記頭部装着コンポーネントは、上記表示コンポーネントと互いに接近又は離間する方向に回転可能なように、イヤピースコンポーネントに回転可能に接続されている。
【００１１】
ここで、上記頭部装着コンポーネントは、頭上支持部と、２つの第２の伸縮アームと、２つの頭部装着接続アームとを含む。上記頭上支持部は、上記頭部装着接続アームに対して接近又は離間する方向に移動可能なのように、両端がそれぞれ上記第２の伸縮アームによって２つの上記頭部装着接続アームに伸縮可能に接続されている。２つの上記頭部装着接続アームは、それぞれ２つの上記イヤピースコンポーネントに回転可能に接続されている。
【００１２】
上記頭上支持部及び上記頭部装着接続アームが互いに接近する位置にあるときに、上記頭上支持部と上記頭部装着接続アームとは互いに当接して、上記頭上支持部の表面と上記頭部装着接続アームの表面との間が平滑面になる。
【００１３】
ここで、上記頭上支持部及び上記頭部装着接続アームが互いに接近する位置にあり、かつ上記頭部装着コンポーネントが上記表示コンポーネントと互に接近する位置まで回転したときに、上記頭上支持部は、上記表示コンポーネントの前側表面に位置する。
【００１４】
ここで、上記頭部装着接続アームは、上記頭上支持部から離れた端部が湾曲して上記イヤピースコンポーネントの周面に沿って延びる弧状部を形成している。
【考案の効果】
【００１５】
本考案に係るウェアラブルディスプレイ装置は、頭部装着コンポーネントをユーザの頭上に位置することにより、ウェアラブルディスプレイ装置の全体がユーザの頭によって支持される。頭部装着コンポーネントを全体として弧状に形成することにより、装着快適性を向上することができる。表示コンポーネントの前側表面を円弧状に形成することにより、表示コンポーネントが全体として半円形状になり得る。ユーザは、表示コンポーネント及びイヤピースコンポーネントによって画像及びビデオをそれぞれ取得することができる。ウェアラブルディスプレイ装置の各部分を円弧状に形成することにより、ウェアラブルディスプレイ装置に簡素な外形及び優れた外観を与える。
【図面の簡単な説明】
【００１６】
以下、本考案の実施形態又は従来技術における技術的構成をより明確に説明するために、実施形態又は従来技術の説明に使用される図面について簡単に説明する。以下に説明する図面は、本考案のいくつかの実施形態に過ぎず、これらの図面によって他の図面を得られることは、当業者にとって可能であることは明らかであろう。
【図１】図１は、本考案の好ましい実施形態に係るウェアラブルディスプレイ装置の正面図である。
【図２】図２は、図１におけるウェアラブルディスプレイ装置の背面図である。
【図３】図３は、図１におけるウェアラブルディスプレイ装置の左側面図である。
【図４】図４は、図１におけるウェアラブルディスプレイ装置の右側面図である。
【図５】図５は、図１におけるウェアラブルディスプレイ装置の平面図である。
【図６】図６は、図１におけるウェアラブルディスプレイ装置の底面図である。
【図７】図７は、図１におけるウェアラブルディスプレイ装置の表示コンポーネントの伸出状態を示す右側面図である。
【図８】図８は、図１におけるウェアラブルディスプレイ装置の頭部装着コンポーネントの伸出状態を示す斜視図である。
【図９】図９は、図１におけるウェアラブルディスプレイ装置全体の折り畳み状態を示す斜視図である。
【考案を実施するための形態】
【００１７】
以下、本考案の実施形態に係る図面を参照しながら、本考案の実施形態における技術的構成を明確、完全に説明する。
【００１８】
図１〜４に示すように、本考案の好ましい実施形態に係るウェアラブルディスプレイ装置は、画像を表示するための表示コンポーネント１と、２つのイヤピースコンポーネント２と、ユーザの頭上に装着するための頭部装着コンポーネント３とを含む。頭部装着コンポーネント３は、全体として弧状に湾曲している。図５及び図６に示すように、表示コンポーネント１におけるユーザから離れた前側表面は、円弧状に形成されている。図２に示すように、表示コンポーネント１におけるユーザに向かう表面には、２つの表示窓１０が設けられている。イヤピースコンポーネント２は円柱状に形成され、２つのイヤピースコンポーネント２がそれぞれ表示コンポーネント１の左右両端に接続されている。頭部装着コンポーネント３の両端がそれぞれ２つのイヤピースコンポーネント２に接続されている。
【００１９】
ウェアラブルディスプレイ装置をユーザの頭部に装着した場合、頭部装着コンポーネント３がユーザの頭上に位置し、ウェアラブルディスプレイ装置の全体がユーザの頭によって支持される。頭部装着コンポーネント３は、全体として弧状に形成され、装着快適性を向上することができる。ユーザは、表示コンポーネント１における２つの表示窓１０を通して表示窓１０に示された画像を眼前で視認することができる。表示コンポーネント１の前側表面を円弧状に形成することにより、表示コンポーネント１が全体として半円形状になり得る。頭部装着コンポーネント３及び表示コンポーネント１は、２つのイヤピースコンポーネント２に接続されている。イヤピースコンポーネント２をユーザの耳に装着した場合、ユーザは、イヤピースコンポーネント２によってビデオを取得することができる。ウェアラブルディスプレイ装置の各部分は、主に円弧状にデザインされ、外形が簡素で外観が優れた。
【００２０】
図６に示すように、表示コンポーネント１の底面には、左右方向に沿って配列した２つの調節ツマミ１１が設けられている。２つの調節ツマミ１１によって、ユーザがより明晰な画像を見えるようにディスプレイ装置の焦点距離、瞳孔間距離などを調節することができる。
【００２１】
図７に示すように、各イヤピースコンポーネント２に支持アーム２１が設けられ、表示コンポーネント１の両端にそれぞれ第１の伸縮アーム１２が設けられている。表示コンポーネント１は、支持アーム２１に対して接近又は離間する方向に移動可能なように、両端がそれぞれ第１の伸縮アーム１２によって２つの支持アーム２１に伸縮可能に接続されている。このようにして、第１の伸縮アーム１２によって支持アーム２１と表示コンポーネント１との間の距離を調節することにより、表示コンポーネント１とイヤピースコンポーネント２との間の距離を調節することができる。このようにして、表示コンポーネント１は、ユーザの頭の異なるサイズによってユーザに対して前後に調節可能であり、装着快適性を向上することができる。
【００２２】
図８に示すように、支持アーム２１及び表示コンポーネント１が互いに接近する位置にあるときに、支持アーム２１と表示コンポーネント１とは互いに当接して、支持アーム２１の表面と表示コンポーネント１の表面との間が平滑面になる。支持アーム２１と表示コンポーネント１とを互いに当接させることにより、第１の支持アーム２１がウェアラブルディスプレイ装置の外表面に露出することなく、第１の支持アーム２１を隠すことができるため、ウェアラブルディスプレイ装置の外形を簡素にする。また、支持アーム２１の表面と表示コンポーネント１の表面の間が平滑面になるため、ウェアラブルディスプレイ装置の外表面を流線形にすることにより、ウェアラブルディスプレイ装置に簡素な外形及び優れた外観を与える。
【００２３】
支持アーム２１の表面とイヤピースコンポーネント２の表面との間は平滑な弧面になる。ウェアラブルディスプレイ装置をユーザの頭部に装着するときに、一般的に、２つのイヤピースコンポーネント２を手で把持しながら着脱するため、イヤピースコンポーネント２と支持アーム２１との間の表面を平滑にすることにより、イヤピースコンポーネント２の円柱形状とともに、手で把持するときの快適性を向上することができる。
【００２４】
図８に示すように、イヤピースコンポーネント２におけるユーザに向かう側には、円環状のクラッシュパッド２２が設けられている。円環状のクラッシュパッド２２をユーザの耳と接触させることにより、ユーザの装着快適性を向上することができる。また、イヤピースコンポーネント２を円柱形に形成することにより、円環状のクラッシュパッド２２と一致したデザインを有し、ウェアラブルディスプレイ装置全体の外形及び外観が良くなる。
【００２５】
イヤピースコンポーネント２におけるユーザから離れた側には、円形の凹溝２０が設けられている。このようにして、イヤピースコンポーネント２の外側表面に装飾的効果をもたらすとともに、円形の凹溝２０内に例えば製品の商標を付けることができ、円形の凹溝２０を製品の制御ボタンとして利用することもできる。
【００２６】
図８、図９に示すように、頭部装着コンポーネント３は、表示コンポーネント１と互いに接近又は離間する方向に回転可能なように、イヤピースコンポーネント２に回転可能に接続されている。このようにして、ウェアラブルディスプレイ装置全体の折り畳みと展開が容易となり、使いやすく、パッケージング及び収納が便利かつコンパクトである。
【００２７】
頭部装着コンポーネント３は、頭上支持部３１と、２つの第２の伸縮アーム３２と、２つの頭部装着接続アーム３３とを含む。頭上支持部３１は、頭部装着接続アーム３３に対して接近又は離間する方向に移動可能なのように、両端がそれぞれ第２の伸縮アーム３２によって２つの頭部装着接続アーム３３に伸縮可能に接続されている。２つの頭部装着接続アーム３３は、それぞれ２つのイヤピースコンポーネント２に回転可能に接続されている。第２の伸縮アーム３２によって頭上支持部３１と頭部装着接続アーム３３との間の距離を調節することにより、頭上支持部３１の上下調節を可能にする。このようにして、ユーザの頭の異なるサイズに対応可能であり、装着快適性を向上することができる。
【００２８】
頭上支持部３１及び頭部装着接続アーム３３が互いに接近する位置にあるときに、頭上支持部３１と頭部装着接続アーム３３とは互いに当接して、頭上支持部３１の表面と頭部装着接続アーム３３の表面との間が平滑面になる。頭上支持部３１と頭部装着接続アーム３３とを互いに当接させることにより、第２の支持アーム２１がウェアラブルディスプレイ装置の外表面に露出することなく、第２の伸縮アーム３２を隠すことができるため、ウェアラブルディスプレイ装置の外形を簡素にする。また、頭上支持部３１の表面と頭部装着接続部の表面との間が平滑面になるため、ウェアラブルディスプレイ装置の外表面を流線形にすることにより、ウェアラブルディスプレイ装置に簡素な外形及び優れた外観を与える。
【００２９】
図９に示すように、頭上支持部３１及び頭部装着接続アーム３３が互いに接近する位置にあり、かつ頭部装着コンポーネント３が表示コンポーネント１と互に接近する位置まで回転したときに、頭上支持部３１は、表示コンポーネント１の前側表面に位置する。このようにして、ウェアラブルディスプレイ装置をコンパクトに折り畳むことができ、パッケージング及び収納、保存に有利である。
【００３０】
頭部装着接続アーム３３は、頭上支持部３１から離れた端部が湾曲してイヤピースコンポーネント２の周面に沿って延びる弧状部３３１を形成している。弧状部３３１をイヤピースコンポーネント２の周面に合わせて形成することにより、独特の視覚効果を達成でき、弧状部３３１の弧状がウェアラブルディスプレイ装置の流線形デザインと一致するため、ウェアラブルディスプレイ装置に簡素な外形及び優れた外観を与える。
【００３１】
上述した実施形態は、本考案の保護範囲を限定するものではない。上述した実施形態の思想及び原則内にあるものであれば、いかなる修正、均等交換、改良等があっても、本考案の保護範囲内に含まれるべきである。
【図１】
0003211446.tif 000003
【図２】
0003211446.tif 000004
【図３】
0003211446.tif 000005
【図４】
0003211446.tif 000006
【図５】
0003211446.tif 000007
【図６】
0003211446.tif 000008
【図７】
0003211446.tif 000009
【図８】
0003211446.tif 000010
【図９】
0003211446.tif 000011